Podtech/llm-jp-corpus-v4-ja_patent huggingface dataset:
【手続補正書】
【提出日】平成17年5月27日(2005.5.27)
【手続補正１】
【補正対象書類名】明細書
【補正対象項目名】請求項５
【補正方法】変更
【補正の内容】
【請求項５】
請求項１〜３の何れかに記載した車輪用駆動ユニットであって、第一のスプライン部が、ハブの内端部に外嵌固定されてかしめ部により抑え付けられた、内輪と一体又は別体の間座の外周面に設けられた雄スプライン部であり、第二のスプライン部が、全体を略円筒状に形成された、第二の等速ジョイントを構成するハウジング部の外端部内周面に設けられた雌スプライン部であり、第一の係合部が上記間座の外周面に形成された内径側係合部であり、第二の係合部が上記ハウジング部の外端部内周面に形成された外径側係合部であるもの。
【手続補正２】
【補正対象書類名】明細書
【補正対象項目名】請求項７
【補正方法】変更
【補正の内容】
【請求項７】
請求項６に記載した車輪用駆動ユニットを組み立てる為の、車輪用駆動ユニットの組立方法であって、一方の部材の外周面に形成した係合部をロボットアームにより掴むと共に、車輪支持用転がり軸受ユニットがこのロボットアームの変位に伴って退避方向に変位しない様に支持した状態でこのロボットアームを変位させる事により、第二の等速ジョイントと上記車輪支持用転がり軸受ユニットとをスプライン係合させる方法。
【手続補正３】
【補正対象書類名】明細書
【補正対象項目名】００２３
【補正方法】変更
【補正の内容】
【００２３】
一方、請求項７に記載した車輪用駆動ユニットの組立方法の場合には、ハウジング部を設けた駆動軸部材と伝達軸とのうちの少なくとも一方の部材の外周面に形成した係合部をロボットアームにより掴むと共に、車輪支持用転がり軸受ユニットがこのロボットアームの変位に伴って退避方向に変位しない様に支持した状態でこのロボットアームを変位させる事により、第二の等速ジョイントと上記車輪支持用転がり軸受ユニットとをスプライン係合させる。
【手続補正４】
【補正対象書類名】明細書
【補正対象項目名】００４０
【補正方法】変更
【補正の内容】
【００４０】
尚、上記キャップ４７を上記ハブ６ｃに嵌合固定する以前に、上記止め輪１５ｂが前記段部４１に確実に係合しているか否かを検査し、運転中に上記ハブ６ｃと前記駆動部材２８ａとが分離する事がない様にする事が好ましい。この様な検査は、この駆動部材２８ａを構成する上記スプライン軸２９の外端面を内方に、２００Ｎ程度の荷重で押したり、この外端面をプラスチックハンマで叩いたりする事により行なえる。或は、上記スプライン軸２９の挿入作業を組立ロボットにより行なう場合には、挿入直後にこの組立ロボットにより上記駆動部材２８ａに、数千Ｎ程度の引き抜き方向の荷重を付与する工程を設定する。何れの場合でも、上記駆動部材２８ａが上記ハブ６ｃに対し、引き抜き方向に変位した場合には、上記止め輪１５ｂと上記段部４１との係合が不確実であったとして、再組立を行なうか、不良品として廃棄する。
【手続補正５】
【補正対象書類名】明細書
【補正対象項目名】００５５
【補正方法】変更
【補正の内容】
【００５５】
尚、上述の様に、係止溝６３、係止突条６４、６４、或は細かな凹凸等、ロボットアームを係止する為の係合部を設け、この係合部をロボットアームで掴んで組立作業を行なう場合に、組立作業が確実に行なえたか否かの確認も、自動的に行なえる。例えば、上記ハブ６ｅと上記駆動部材２８ｂとを結合すべく、このハブ６ｅが退避方向（図４の左方向）に変位しない様に、このハブ６ｅを支持した状態で、上記スプライン軸２９を上記スプライン孔２７内に十分に挿入すると、結合部材である止め輪１５ｂと段部４１とが、この止め輪１５ｂの直径が弾性的に広がる事で、自動的に係合する。そして係合した状態では、上記スプライン軸２９が上記スプライン孔２７から抜け出る事がなくなる。又、上記伝達軸５３と等速ジョイント用内輪５４とを結合すべく、この伝達軸５３の端部に設けた雄スプライン部５６をこの等速ジョイント用内輪５４内に十分に挿入すると、結合部材である止め輪５８と係止溝５９とが自動的に係合する。そして、この状態では、上記伝達軸５３の端部が上記等速ジョイント用内輪５４から抜け出る事がなくなる。又、上記伝達軸５３が係合位置からそれ以上挿入方向に移動する事もなくなり、この伝達軸５３と上記等速ジョイント用内輪５４とが、軸方向への変位を阻止された状態で結合される。そこで、上記係合部をロボットアームで掴んで組立作業を行なった後、このロボットアームにより、互いに結合した１対の部材同士（上記ハブ６ｅと上記駆動部材２８ｂと、又は上記伝達軸５３と等速ジョイント用内輪５４と）を互いに離す方向で、上記止め輪１５ｂ、５８の強度よりも小さな力を付与すれば、この止め輪１５ｂ、５８による結合が確実に行なわれているか否かを確認できる。勿論、この場合には、上記ハブ６ｅが、上記駆動部材２８ｂに引っ張られて、図４の右方向に移動しない様に、上記ハブ６ｅを支持しておく。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
本体内に設けられたシリンダと、シリンダ内に往復動可能に支持され、下方にドライバブレードを装着したピストンと、シリンダの周囲に設けられ、圧縮空気が蓄積される蓄圧室と、シリンダ上部に設けられ、上昇動作及び下降動作に応じてシリンダ内と蓄圧室又はシリンダ内と大気間を選択的に連通させる主バルブと、シリンダの周壁に対してほほ垂直方向に延びて形成されたハンドルと、ハンドル部に設けられ、主バルブ上面への圧縮空気の給排を制御することにより主バルブを上昇又は下降させるトリガバルブとを備え、トリガバルブを操作して主バルブを上昇させてシリンダ内を蓄圧室に連通させてシリンダ内に圧縮空気を導入し、ピストンを駆動することによってドライバブレードにより釘を打撃して打ち込む空気釘打機であって、
前記シリンダ内に導入された圧縮空気の一部又は主バルブを駆動した圧縮空気に一部をハンドルの長手方向に沿って形成された膨張室を介して排出することを特徴とした空気釘打機。
【請求項２】
前記ハンドルの排気穴をハンドルの長手方向と平行でない方向に沿って設けたことを特徴とする請求項１記載の空気釘打機。
【請求項３】
前記膨張室を少なくとも２個の膨張室に分割し、２個の膨張室の前後に少なくとも２個の絞り穴を設け、絞り穴の面積を排気穴に向かって徐々に小さくしたことを特徴とする請求項1または請求項２記載の空気釘打機。
【手続補正２】
【補正対象書類名】明細書
【補正対象項目名】００１１
【補正方法】変更
【補正の内容】
【００１１】
本発明の目的は、上記した従来技術の問題をなくし、膨張室、絞り穴の構成を適正化し、軽量、コンパクトな空気釘打機を提供することである。
【手続補正３】
【補正対象書類名】明細書
【補正対象項目名】００１２
【補正方法】変更
【補正の内容】
【００１２】
【課題を解決するための手段】
上記目的は、ハンドルの長手方向に沿って形成された膨張室を介してシリンダ内に導入された圧縮空気の一部又は主バルブを駆動した圧縮空気の一部をハンドルの後端部から排出させることにより達成される。
【手続補正４】
【補正対象書類名】明細書
【補正対象項目名】００１５
【補正方法】変更
【補正の内容】
【００１５】
ヘッドバルブ８を収納するエキゾーストカバー１６には、排気バルブ９とハンドル１８内とを連通する空気通路１７が設けられている。ハンドル１８内のほぼ全体が膨張室１０を構成するように形成されている。すなわち膨張室１０は、ハンドル１８の後端に図示しないねじ等の手段によって取り付けられるほぼ円筒状のハンドルキャップ５０の内部空間及びハンドル１８のエアパイプ２を除く内部空間によって構成される。
【手続補正５】
【補正対象書類名】明細書
【補正対象項目名】００３０
【補正方法】変更
【補正の内容】
【００３０】
【発明の効果】
以上のように本発明によれば、ハンドルの長手方向に沿って形成された膨張室を介してシリンダ内に導入された圧縮空気の一部又は主バルブを駆動した圧縮空気の一部をハンドルの後端部から排出するようにしたので、釘打機の上部外径及び高さを小さくできると共に排気圧力、音量を減少することができる。
【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
鉄成分をゲーサイトとして含むアルミナ含有鉱石をアルカリ溶液で１１０〜１６０℃の温度で加熱処理して得られるアルミン酸ソーダ溶液中の赤泥の分離方法において、モノマー成分として（Ａ）ビニルヒドロキサム酸化合物またはその塩を含む平均分子量2000以上の共重合体を有効成分とする水溶性高分子沈降助剤を添加して赤泥を沈降させ分離することを特徴とするゲーサイトを含む赤泥の分離方法。
【請求項２】
平均分子量2000以上の共重合体が、モノマー成分として（Ａ）ビニルヒドロキサム酸化合物またはその塩と、（Ｂ）（メタ）アクリル酸またはその塩、（Ｃ）（メタ）アクリルアミド及び（Ｄ）Ｎ−ビニルカルボン酸アミド化合物から選択される少なくとも１種類のモノマーの二価基とを含む共重合体である請求項１に記載のゲーサイトを含む赤泥の分離方法。
【請求項３】
平均分子量2000以上の共重合体が、モノマー成分として、（Ａ）ビニルヒドロキサム酸化合物またはその塩と、（Ｂ）（メタ）アクリル酸またはその塩と、（Ｃ）（メタ）アクリルアミドの二価基とを含む共重合体である請求項１に記載のゲーサイトを含む赤泥の分離方法。
【請求項４】
鉄成分の６０質量％以上がゲーサイトであり、アルミナ分の７０％以上がギブサイトであるアルミナ含有鉱石原料を用いる請求項１に記載のゲーサイトを含む赤泥の分離方法。
【請求項５】
水溶性高分子沈降助剤が、モノマー成分として（Ａ）ビニルヒドロキサム酸化合物またはその塩の二価基を含む共重合体を２０質量％以上含む請求項１に記載のゲーサイトを含む赤泥の分離方法。
【請求項６】
全モノマー成分に対するモノマー成分（Ａ）のビニルヒドロキサム酸化合物またはその塩の割合が、５モル％以上である請求項２に記載のゲーサイトを含む赤泥の分離方法。
【請求項７】
水溶性高分子化合物を、モノマー成分（Ａ）、（Ｂ）、（Ｃ）及び（Ｄ）の合計質量換算で、赤泥に対して 0.003〜0.05質量％添加する請求項２に記載のゲーサイトを含む赤泥の分離方法。
【請求項８】
前記水溶性高分子沈降助剤に沈降補助剤を併用しない請求項１乃至７のいずれかに記載のゲーサイトを含む赤泥の分離方法。
【手続補正２】
【補正対象書類名】明細書
【補正対象項目名】００１２
【補正方法】変更
【補正の内容】
【００１２】
以下、本発明を更に詳細に説明する。
（１）アルミナ含有鉱石
本発明によるアルミナ含有鉱石処理時の赤泥の分離方法は、従来の沈降助剤を用いる方法では分離が困難であった、鉄成分の主要部をゲーサイトとして含み、アルミナ成分をアルミナ３水和物（ギブサイト）を主体として含むアルミナ含有鉱石を対象とするものであり、特にアルミナ３水和物が含有アルミナの７０質量％以上、ゲーサイトが含有鉄成分（酸化鉄換算）の６０質量％以上であるものに有効である。
このような組成の代表的なアルミナ含有鉱石としては、東南アジア産、例えばインドネシア産のボーキサイトが挙げられる。
なお、本発明が適用できるアルミナ含有鉱石はインドネシア産に限られるものではなく、またギブサイトの量及びゲーサイトの含有鉄成分の量は上記のものに限られず、ギブサイトの量が７０質量％未満で、ゲーサイトが含有鉄成分（酸化鉄換算）の６０質量％未満のものについても有効である。
【手続補正書】
【提出日】平成17年1月24日(2005.1.24)
【手続補正１】
【補正対象書類名】明細書
【補正対象項目名】００２８
【補正方法】変更
【補正の内容】
【００２８】
PSA吸着塔21bの脱着工程では、切替弁22b、切替弁23bを閉止して吸着工程が終了した状態から切替弁25b、切替弁25dを開放し、配管27を介して充圧工程のPSA吸着塔21dに比較的ヘリウム濃度の高い脱着ガスを充圧し、残りを切替弁25dを閉止して流量調整弁28で流量を制御しながら脱着ガス回収タンク26へPSA吸着塔21b内圧力が0.2MPaとなるまで脱着ガスを回収する。その後、切替弁25bを閉止し、切替弁24b、切替弁32を開放してPSA吸着塔21b内に残った脱着ガスを塔下部から大気へ放出し、切替弁24b、切替弁32を閉止してPSA吸着塔21bの脱着工程を完了する。
【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
金属元素を含有しプラズマ耐食性の増大した石英ガラスであり、該石英ガラス中の泡と異物の含有量が１００ｃｍ3あたりの投影面積で１００ｍｍ2未満であることを特徴とするプラズマ耐食性に優れた石英ガラス。
【請求項２】
前記金属元素の弗化物の沸点が、Ｓｉの弗化物の沸点より高温度であることを特徴とする請求項１記載のプラズマ耐食性に優れた石英ガラス。
【請求項３】
前記金属元素の濃度が０．１〜２０ｗｔ％であることを特徴とする請求項１又は２記載のプラズマ耐食性に優れた石英ガラス。
【請求項４】
前記金属元素が、Ａｌ、Ｙ、Ｎｄ、Ｓｍ、Ｌａ、Ｃｅ及びＧｄからなる群から選択される少なくとも１種であることを特徴とする請求項１〜３のいずれか１項記載のプラズマ耐食性に優れた石英ガラス。
【請求項５】
請求項１〜４のいずれか１項に記載された石英ガラスにより作成され、表面から所定の深さまでの厚さを有するとともに前記金属元素を０．１〜２０ｗｔ％含有する金属元素含有層を形成したことを特徴とするプラズマ耐食性に優れた石英ガラス治具。
【請求項６】
前記金属元素含有層の厚さが少なくとも５ｍｍであることを特徴とする請求項５記載のプラズマ耐食性に優れた石英ガラス治具。
【請求項７】
ベルヌイ法で石英粉からプラズマ耐食性に優れた石英ガラスインゴットを作成する方法であり、金属元素粉或いはその化合物粉を、石英粉に混合し、加熱溶融落下させ石英ガラスインゴットを作成する際、該石英ガラスインゴット表面温度を、１８００℃以上に加熱することを特徴とするプラズマ耐食性に優れた石英ガラスの製造方法。
【請求項８】
ベルヌイ法で石英粉からプラズマ耐食性に優れた石英ガラスインゴットを作成する方法であり、石英粉を加熱溶融落下させ石英ガラスインゴットを作成すると同時に、金属元素或いはその化合物を純水、酸性溶液、塩基性溶液または有機溶媒に溶解させ作成した溶液を、該石英ガラスインゴットの成長表面に連続的に滴下することを特徴とするプラズマ耐食性に優れた石英ガラスの製造方法。
【請求項９】
予め用意された多孔質ＳｉＯ2体を、前記金属元素の密度が（０．１〜１０ｍｏｌ）／２２．４リットルの範囲の雰囲気中に静置し、加熱処理することを特徴とするプラズマ耐食性に優れた石英ガラスの製造方法。
【請求項１０】
前記加熱温度が、前記金属元素或いはその化合物の沸点、昇華点及び分解点以上であり、処理圧力が、１〜１０気圧の範囲であることを特徴とする請求項９記載の製造方法。
【請求項１１】
全体の粒径分布が、０．０１〜１０００μｍの範囲にあり、且つ、そのうち０．０１〜５μｍの範囲の粒子群の重量比が１〜５０ｗｔ％である石英ガラス粉体と、純水、酸性溶液、塩基性溶液または有機溶媒に溶解可能な金属元素或いはその化合物を、純水、酸性溶液、塩基性溶液または有機溶媒中で混合溶解してスラリーを作成し、該スラリーを乾燥固化させた後に、真空下で加熱溶融することを特徴とするプラズマ耐食性に優れた石英ガラスの製造方法。
【請求項１２】
前記金属化合物が硝酸化合物であり、溶媒が、純水であることを特徴とする請求項１１記載のプラズマ耐食性に優れた石英ガラスの製造方法。
【請求項１３】
前記金属元素が、Ａｌ、Ｙ、Ｎｄ、Ｓｍ、Ｌａ、Ｃｅ及びＧｄからなる群から選択される少なくとも１種であることを特徴とする請求項７〜１２のいずれか１項記載のプラズマ耐食性に優れた石英ガラスの製造方法。
【請求項１４】
純水、酸性溶液、塩基性溶液または有機溶媒に溶解可能な金属元素或いはその化合物を純水、酸性溶液、塩基性溶液または有機溶媒中で混合溶解して作成された溶液を、予め用意された石英ガラス治具表面に塗布し、その後、その表面を加熱溶融することを特徴とするプラズマ耐食性に優れた石英ガラス治具の製造方法。
【請求項１５】
前記金属元素を含む溶液が、金属元素を含む有機金属化合物液或いはそれを有機溶媒に溶解して作成した溶液であることを特徴とする請求項１４記載の製造方法。
【請求項１６】
前記金属元素が、Ａｌ、Ｙ、Ｎｄ、Ｓｍ、Ｌａ、Ｃｅ及びＧｄからなる群から選択される少なくとも１種であることを特徴とする請求項１４又は１５記載の製造方法。
【請求項１７】
予め用意された石英ガラス治具が請求項７〜１３のいずれか１項記載の製造方法により製造されたものであることを特徴とする請求項１４〜１６のいずれか１項記載の製造方法。
【手続補正２】
【補正対象書類名】明細書
【補正対象項目名】００１３
【補正方法】変更
【補正の内容】
【００１３】
上記金属元素の種類は、前記した各提案に開示されたＡｌ（アルミニウム）及びアルミニウム化合物に限られるものでは無く、当該金属元素の弗化物の沸点が、Ｓｉの弗化物の沸点より高温度であることが、Ｆ系プラズマガスエッチングに使用可能な条件である。例えば、Ｔｉ、Ｚｒ、Ｙなどの元素の他、エッチング耐食性の大きいＳｍなどの希土類元素も使用可能である。但し、半導体業界で望まれない金属元素の場合、エッチング耐食性が非常に優れていることが条件となる。上記金属元素としては、Ａｌ、Ｙ、Ｎｄ、Ｓｍ、Ｌａ、Ｃｅ及びＧｄからなる群から選択される少なくとも１種であることが好ましい。
【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】
互いに異なる複数の特定波長のレーザー光を照射して生体を処理する装置と、前記生体を処理する際に前記生体を観察するための光学系とを備え、前記複数の特定波長のレーザー光をカットするためのフィルター作用を持つ光学素子が前記光学系中に設けられ、前記フィルター作用を持つ光学素子が干渉膜を有し、前記光学系中に前記フィルター作用を持つ干渉膜が３面以上含まれており、前記特定波長の透過率が１％以下であることを特徴とする光学装置。
【請求項２】
互いに異なる複数の特定波長のレーザー光を照射して生体を処理する装置と、前記生体を処理する際に前記生体を観察するための光学系とを備え、前記複数の特定波長のレーザー光をカットするためのフィルター作用を持つ光学素子が前記光学系中に設けられ、前記フィルター作用を持つ光学素子が干渉膜を有し、前記光学系中に前記フィルター作用を持つ干渉膜が３面以上含まれていて、前記フィルター作用を持つ干渉膜の面数が前記複数の特定波長のレーザー光の種類よりも多く、前記特定波長の透過率が１％以下であることを特徴とする光学装置。
【請求項３】
互いに異なる複数の特定波長のレーザー光を照射して生体を処理する装置と、前記生体を処理する際に前記生体を観察するための光学系とを備え、前記複数の特定波長のレーザー光をカットするためのフィルター作用を持つ光学素子が前記光学系中に設けられ、前記光学素子として干渉膜を持つ光学素子と光吸収物質から成る光学素子とを備え、前記吸収物質の透過率が最も低くなる波長が前記干渉膜の透過率のカットオフ波長と立ち上がり波長との間に来るように前記干渉膜と吸収物質の分光透過率が選定されて、前記特定波長の透過率が１％以下であることを特徴とする光学装置。
【請求項４】
前記干渉膜を有する光学素子がその片面だけに干渉膜を有し、複数の前記光学素子が干渉膜を有しない面同士を密着又は密接させて配置されていることを特徴とする請求項１、２または３の光学装置。
【手続補正２】
【補正対象書類名】明細書
【補正対象項目名】００３９
【補正方法】変更
【補正の内容】
【００３９】
図３は本発明の光学系の第３の実施の形態を示す図である。この光学系は、負レンズＬ1 と正レンズＬ2 と正レンズＬ3 と負レンズＬ4 を接合した接合レンズとよりなり第１，第２の実施の形態と光学系のレンズ構成は、実質上同じである。しかし、フィルター光学素子（干渉フィルター）はすべて透明板の片面のみに干渉膜をコートしたものである。つまり、第１の光学素子Ｆa1はその像側の面にＹＡＧレーザーカットのための干渉膜が、第２レンズＬ2 と吸収フィルターＦb との間に配置されている第２の光学素子Ｆa2はその物体側の面（絞り側の面）にＬＤレーザーカットのための干渉膜が、第３，第４の光学素子Ｆa3，Ｆa4は、夫々接合レンズＬ3 ，Ｌ4 の像側に配置され、第３の光学素子Ｆa3はその物体側の面にＬＤレーザーカットのための干渉膜が第４の光学素子Ｆa4の物体側の面にＹＡＧレーザーカットのための干渉膜が設けられている。又明るさ絞りＳは光学素子Ｆa2の物体側面近傍に配置されている。
【手続補正書】
【提出日】平成16年9月2日(2004.9.2)
【手続補正１】
【補正対象書類名】明細書
【補正対象項目名】発明の名称
【補正方法】変更
【補正の内容】
【発明の名称】内視鏡
【手続補正２】
【補正対象書類名】明細書
【補正対象項目名】特許請求の範囲
【補正方法】変更
【補正の内容】
【特許請求の範囲】
【請求項１】
内視鏡の先端部に設けられ、観察対象物に照明光を照射する第1の照明手段と、この第1の照明手段の配光角度より広い配光角度を有する第２の照明手段とを備えたことを特徴とする内視鏡。
【請求項２】
前記第１の照明手段は、前記配光角度を狭くするためのレンズを有することを特徴とする請求項１に記載の内視鏡。
【請求項３】
前記先端部に、前記第１の照明手段と前記第２の照明手段とを交互に配置することを特徴とする請求項１または２に記載の内視鏡。
【手続補正３】
【補正対象書類名】明細書
【補正対象項目名】０００１
【補正方法】変更
【補正の内容】
【０００１】
【発明の属する技術分野】本発明は、観察対象物に挿入部の先端部から照明光を照射し、観察する内視鏡に関する。
【手続補正４】
【補正対象書類名】明細書
【補正対象項目名】００１２
【補正方法】変更
【補正の内容】
【００１２】
【課題を解決するための手段】上記課題に鑑み、本発明の内視鏡は、内視鏡の先端部に設けられ、観察対象物に照明光を照射する第1の照明手段と、この第1の照明手段の配光角度より広い配光角度を有する第２の照明手段とを備える。また、前記第１の照明手段は、前記配光角度を狭くするためのレンズを有する。また、前記先端部に、前記第１の照明手段と前記第２の照明手段とを交互に配置する。
【手続補正書】
【提出日】平成16年7月30日(2004.7.30)
【手続補正１】
【補正対象書類名】明細書
【補正対象項目名】発明の名称
【補正方法】変更
【補正の内容】
【発明の名称】傾斜磁場コイル及びこれを備えた磁気共鳴イメージング装置
【手続補正２】
【補正対象書類名】明細書
【補正対象項目名】特許請求の範囲
【補正方法】変更
【補正の内容】
【特許請求の範囲】
【請求項１】
磁気共鳴イメージング装置に用いられる傾斜磁場コイルにおいて、所望の傾斜磁場を発生させるための電流パターンを形成する導体で構成され、該導体の断面が電流パターン面に対して垂直な方向に長いことを特徴とする傾斜磁場コイル。
【請求項２】
電流パターン面に対して垂直な方向に長い断面を有する導体を複数本まとめて一組の導体としたことを特徴とする傾斜磁場コイル。
【請求項３】
電気絶縁体よりなる基板に所望の傾斜磁場を発生させるための電流パターンに一致する溝を形成し、この溝の中に前記導体を埋設したことを特徴とする請求項１および２記載の傾斜磁場コイル。
【請求項４】
請求項２記載の導体を可撓性のある素材により被覆したことを特徴とする傾斜磁場コイル。
【請求項５】
請求項１乃至４記載の傾斜磁場コイルを備えた磁気共鳴イメージング装置。
【請求項６】
所定方向に静磁場を発生する静磁場発生手段と、前記静磁場に重ねて傾斜磁場を発生するためのコイルパターンが形成された平板状の傾斜磁場発コイルを有し、前記傾斜磁場コイルの平面が前記静磁場方向と垂直となる様に配置された磁気共鳴イメージング装置において、
前記電流パターンを形成する導体の断面形状は、前記傾斜磁場コイルの平面に略平行な方向が略垂直な方向よりも短いことを特徴とする磁気共鳴イメージング装置。
【請求項７】
所定方向に静磁場を発生する静磁場発生手段と、前記静磁場に重ねて傾斜磁場を発生するためのコイルパターンが形成された円筒状の傾斜磁場発コイルを有し、前記傾斜磁場コイルの平面が前記静磁場方向と平行となる様に配置された磁気共鳴イメージング装置において、
前記電流パターンを形成する導体の断面形状は、前記円筒の軸に略平行な方向が略垂直な方向よりも短いことを特徴とする磁気共鳴イメージング装置。
【手続補正３】
【補正対象書類名】明細書
【補正対象項目名】００１１
【補正方法】変更
【補正の内容】
【００１１】
さらに、電流パターン面に対して垂直な方向に長い断面を有する導体を複数本まとめて一組の導体としたことを特徴とする。また、電気絶縁体よりなる基板に所望の傾斜磁場を発生させるための電流パターンに一致する溝を形成し、この溝の中に前記導体を埋設したことを特徴とする。さらに、前記導体を可撓性のある素材により被覆したことを特徴とする。
また、前記導体を有する傾斜磁場コイルを磁気共鳴イメージング装置に用いたことを特徴とする。
また、所定方向に静磁場を発生する静磁場発生手段と、前記静磁場に重ねて傾斜磁場を発生するためのコイルパターンが形成された平板状の傾斜磁場発コイルを有し、前記傾斜磁場コイルの平面が前記静磁場方向と垂直となる様に配置された磁気共鳴イメージング装置において、前記電流パターンを形成する導体の断面形状は、前記傾斜磁場コイルの平面に略平行な方向を略垂直な方向よりも短くすることを特徴とする。
或いは、所定方向に静磁場を発生する静磁場発生手段と、前記静磁場に重ねて傾斜磁場を発生するためのコイルパターンが形成された円筒状の傾斜磁場発コイルを有し、前記傾斜磁場コイルの平面が前記静磁場方向と平行となる様に配置された磁気共鳴イメージング装置において、前記電流パターンを形成する導体の断面形状は、前記円筒の軸に略平行な方向を略垂直な方向よりも短くすることを特徴とする。
【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
遊技盤と、
前記遊技盤を保持する遊技盤用凹陥部を有する遊技盤保持部材とを備え、
前記遊技盤を前記遊技盤用凹陥部に着脱自在に装着した弾球遊技機において、
前記遊技盤の下縁部と、前記遊技盤用凹陥部の下縁部との何れか一方に係合用凸部を設け、他方に前記係合用凸部に係合する係合用凹部を設け、
前記係合用凸部は傾斜面を有し、前記係合用凹部は鋭角を成すガイド面及び垂直面を有して構成され、
前記傾斜面と前記ガイド面とは同一の傾斜角度とされ、前記係合用凸部が、前記係合用凹部に嵌合可能となっており、
前記遊技盤保持部材に保持された前記遊技盤を固定又は解放することができるロック機構部を備えたことを特徴とする弾球遊技機。
【請求項２】
前記遊技盤保持部材は、前記遊技盤の周縁部を受け入れる前記遊技盤用凹陥部を有する前面枠であって、
前記遊技盤の下縁部に、一定の勾配で形成された傾斜面を有する前記係合用凸部を設け、前記遊技盤用凹陥部の下縁部に、鋭角を成すガイド面及び垂直面を有する前記係合用凹部を設け、前記遊技盤用凹陥部の上部周縁部に前記ロック機構部を設け、
前記係合用凸部は、遊技盤の下端へ行く程、厚みが小となる楔状に成形されており、前記係合用凸部と前記係合用凹部とが嵌合したとき、前記遊技盤は後方への倒れが阻止されて前記遊技盤用凹陥部に垂直に保持されることを特徴とする請求項１に記載の弾球遊技機。
【請求項３】
前記遊技盤の下縁部が、前記遊技盤用凹陥部の下縁部に斜め上方から向かい合わされ、前記係合用凸部の先端部が、前記係合用凹部の前縁部に載置されたとき、
前記係合用凸部が、前記遊技盤の自重を利用して前記ガイド面に沿って前記係合用凹部の奥側へ移動され、前記係合用凸部の先端が前記係合用凹部の奥部へ到達することで、
前記遊技盤は、垂直に前記遊技盤用凹陥部に収容され、前記遊技盤の自重により垂直姿勢を維持した状態で、前記ロック機構部により固定されることを特徴とする請求項２に記載の弾球遊技機。
【手続補正２】
【補正対象書類名】明細書
【補正対象項目名】０００６
【補正方法】変更
【補正の内容】
【０００６】
上記課題に鑑み請求項１記載の発明はなされたものであり、遊技盤と、前記遊技盤を保持する遊技盤用凹陥部を有する遊技盤保持部材とを備え、前記遊技盤を前記遊技盤用凹陥部に着脱自在に装着した弾球遊技機において、前記遊技盤の下縁部と、前記遊技盤用凹陥部の下縁部との何れか一方に係合用凸部を設け、他方に前記係合用凸部に係合する係合用凹部を設け、前記係合用凸部は傾斜面を有し、前記係合用凹部は鋭角を成すガイド面及び垂直面と有して構成され、前記傾斜面と前記ガイド面とは同一の傾斜角度とされ、前記係合用凸部が、前記係合用凹部に嵌合可能となっており、前記遊技盤保持部材に保持された前記遊技盤を固定又は解放することができるロック機構部を備えたことを特徴とする弾球遊技機である。こうした構成により、上述の諸課題を解決することができる。
【手続補正３】
【補正対象書類名】明細書
【補正対象項目名】０００９
【補正方法】変更
【補正の内容】
【０００９】
請求項２に記載の発明は、前記遊技盤保持部材は、前記遊技盤の周縁部を受け入れる前記遊技盤用凹陥部を有する前面枠であって、前記遊技盤の下縁部に、一定の勾配で形成された傾斜面を有する前記係合用凸部を設け、前記遊技盤用凹陥部の下縁部に、鋭角を成すガイド面及び垂直面を有する前記係合用凹部を設け、前記遊技盤用凹陥部の上部周縁部に前記ロック機構部を設け、前記係合用凸部は、遊技盤の下端へ行く程、厚みが小となる楔状に成形されており、前記係合用とが嵌合したとき、前記遊技盤は後方への倒れが阻止されて前記遊技盤用凹陥部に垂直に保持されることを特徴とする請求項１に記載の弾球遊技機である。請求項１と同様の課題が達成される上、遊技盤の自重を利用して係合用とを円滑係合できるので、組立作業が一層容易となる。ここにいう楔状は、片面又は両面に鋭角をなす勾配を備えたものが挙げられる。
請求項３記載の発明は、前記遊技盤の下縁部が、前記遊技盤用凹陥部の下縁部に斜め上方から向かい合わされ、前記係合用凸部の先端部が、前記係合用凹部の前縁部に載置されたとき、前記係合用凸部が、前記遊技盤の自重を利用して前記ガイド面に沿って前記係合用凹部の奥側へ移動され、前記係合用凸部の先端が前記係合用凹部の奥部へ到達することで、前記遊技盤は、垂直に前記遊技盤用凹陥部に収容され、前記遊技盤の自重により垂直姿勢を維持した状態で、前記ロック機構部により固定されることを特徴とする請求項２に記載の弾球遊技機である。
【手続補正４】
【補正対象書類名】明細書
【補正対象項目名】００２３
【補正方法】変更
【補正の内容】
【００２３】
【発明の効果】請求項１乃至３記載の発明によれば、遊技盤の脱着が容易であるとともに部品点数を削減でき、組立作業性を向上させることができる効果がある。
【手続補正書】
【提出日】平成16年2月4日(2004.2.4)
【手続補正１】
【補正対象書類名】明細書
【補正対象項目名】請求項１
【補正方法】変更
【補正の内容】
【請求項１】
占星学において生まれながらに個人が持つホロスコープは、変えることができない不変なものとされて来たが、将来の太陽系の惑星の運行表から、個人にとってより価値の高い惑星の配置（ホロスコープ）を計画的に、数分にて個人がとりこむことで、新しいホロスコープを獲得する以下明細書記載の方法。
【手続補正２】
【補正対象書類名】明細書
【補正対象項目名】０００８
【補正方法】変更
【補正の内容】
【０００８】
以上同じ。図を描くには、室項表と平均恒星時表と未来の惑星運行表を使います。この図をもとにホロスコープの良い時を探します。気にいらなければ探して、やり変えます。  これを未来の惑星の運行表をもとに何度も設計して、以下同じ。


【手続補正３】
【補正対象書類名】明細書
【補正対象項目名】０００９
【補正方法】変更
【補正の内容】
【０００９】
時間帯を探すときに、満ち潮の時間帯を選びます。こうする必要はないかも知れませんが、古来より自然に子供が生まれる時は満ち潮の時が多いいし、満ち潮時に生まれた子供は比較的丈夫であるとの言い伝えによるものです。南を向いて、図１のようにＩ〜ＩＶ象限を作ります。アセンダントの方向は東の水平線の方向です。図２のようにホロスコープの変換時点での太陽の引力ＦＳと月の引力ＦＭの２つのベクトルをＦＭ＝２．２ＦＳとして描きます。力の平行四辺形を描いて、合力を求めます。この合力がＩＩ象限、またはＩＶ象限にあるときが、満ち潮時になります。この条件になるように未来のホロスコープ変換時点での、太陽と月の位置決めの目安にします。
室項表には地球上の緯度によって、１室から１２室までの境界が恒星時ごとに載っています。恒星時は不動ですから、日によって違うことはありません。生活上は太陽時を使っていますので、太陽時は１日当たり恒星時より４分長くなります。よって、ホロスコープ変換時点の時刻を太陽時で表す必要があります。そこで、秋分点のお羊座の０度（恒星）が南中する時刻が午前０時ですから、この日の太陽時と恒星時は基準が同じで、この日から後の太陽時の午前０時が恒星時では何時になるかを示した平均恒星時表を使って、恒星時を日常使う太陽時に直して、ホロスコープ変換の時刻を太陽時で知ることが必要です。
恒星時を太陽時に直すには、その日の平均恒星時を表から求めて、恒星時から平均恒星時を引きます。残りの時間が太陽時になります。平均恒星時を引いてマイナスになれば、２４時間を恒星時に加えて引きます。残りの時間は日付では前日の太陽時になります。
このようにしてホロスコープ変換時点の太陽時を求めます。この時刻は標準時の地点での時刻ですから、地球の自転によって、経度１度で４分の時間の経過を計算して、標準時の地点から東では進め、西では遅らせて、天球内でのその地点での時刻を求めます。このようにして、その地点での変換時刻を太陽時で求めます。
変換時刻が求まると、次のホロスコープ変換の方法になります。


【手続補正４】
【補正対象書類名】明細書
【補正対象項目名】００１１
【補正方法】変更
【補正の内容】
【００１１】
・・以上同じ。その間にホロスコープは新しいものに入れ換わり、その場所と時刻での新しいホロスコープを持つことになる。このように振動する物体の上で、同じように振動が体に伝わる状態なら変換は可能です。振動の振幅は数マイクロメートル単位から数センチメートル単位などで変換できます。振動を発生する装置を作って、その上なら、同じように変換できます。都会では、容易に自動車と駐車場を持てない状況ですから、このような装置が必要となります。この方法は子供の改善から大人の能力改善、・・以下同じ。


【手続補正５】
【補正対象書類名】図面
【補正対象項目名】図１
【補正方法】変更
【補正の内容】
【図１】
1999076600.tif 000001
【手続補正６】
【補正対象書類名】図面
【補正対象項目名】図２
【補正方法】変更
【補正の内容】
【図２】
1999076600.tif 000002
【手続補正書】
【提出日】平成16年5月13日(2004.5.13)
【手続補正１】
【補正対象書類名】明細書
【補正対象項目名】０００３
【補正方法】変更
【補正の内容】
【０００３】図柄の組合せには所定数の遊技媒体を賞出するものと、それに加えて遊技者に有利な特別状態を発生させるものとがある。特別状態は例えば１回の遊技に必要な遊技媒体の数を１とし、予め定めた図柄が可変表示手段に所定の状態で表示されたときに、遊技媒体の賞出を行うものがあり、所謂シングルボーナス、レギュラーボーナスといわれるものである。
【手続補正２】
【補正対象書類名】明細書
【補正対象項目名】０００５
【補正方法】変更
【補正の内容】
【０００５】このような当たりが可能となる当たりモードとなったときは、所謂「フラッグが成立」した状態であり、この状態では、フラッグの成立を停止した図柄の組み合わせにより遊技者に知らせる「リーチ目」が出現する。
【手続補正３】
【補正対象書類名】明細書
【補正対象項目名】０００８
【補正方法】変更
【補正の内容】
【０００８】本発明は、このような従来の問題点に着目してなされたもので、リーチ目の判らない遊技者にもリーチ目がでていることが確実に判り、また、目押しのできない遊技者でも確実に当たりとなる組み合わせを構成する準当たり状態、すなわち「リーチ」状態を出すことができるスロットマシンを提供することを目的としている。
【手続補正４】
【補正対象書類名】明細書
【補正対象項目名】００１７
【補正方法】変更
【補正の内容】
【００１７】制御手段（３０）は、暫く動作させた後に準当たりの組合わせで図柄を停止させる。したがって、このときリーチ目の組合わせの判らない初心者であってもリーチ目状態になったことを知ることができる。また、目押しのできない遊技者でも確実に準当たり（リーチ）状態を得ることができる。
【手続補正５】
【補正対象書類名】明細書
【補正対象項目名】００１８
【補正方法】変更
【補正の内容】
【００１８】準当たり（リーチ）の組合わせで図柄を停止させた後、制御手段（３０）は前記最後の一つの図柄表示部の動作の停止を不可能とした状態を解除し、前記図柄停止ボタンの操作によって停止可能にする。
【手続補正６】
【補正対象書類名】明細書
【補正対象項目名】００１９
【補正方法】変更
【補正の内容】
【００１９】このように、リーチ目の組合せの判らない遊技者にもリーチ目の組合せが成立していることが確実に判り、また、目押しのできない遊技者でも確実に準当たり（リーチ）の組合せが出現するので初心者か否か、或いは、スロットマシンに詳しいか否かにかかわらず遊技者は十分にゲームを楽しむことができる。
【手続補正７】
【補正対象書類名】明細書
【補正対象項目名】００２０
【補正方法】変更
【補正の内容】
【００２０】なお、遊技制御部（３１）は当たりモードに入った状態、所謂「フラッグが成立」した後に、規定数のゲームを行っても準当たり（リーチ）が出ないときに上記制御を実行するようにしてもよい。
【手続補正８】
【補正対象書類名】明細書
【補正対象項目名】００４４
【補正方法】変更
【補正の内容】
【００４４】スロットマシン１０がこのような特別状態の出現を可能とする当たりモードに入った状態、所謂「フラッグが成立」した状態になると音等で遊技者に知らされる。フラッグが成立した状態であって、図柄停止ボタンＳ１、Ｓ２、Ｓ３の操作により図柄表示部２０ａ、２０ｂ、２０ｃの回転動作を停止させて行き、最後の一つの図柄表示部２０ｃを残して停止させたときに、図柄表示部２０ａ、２０ｂで停止した図柄の組合わせが、当たりとなる組合わせを構成する準当たり（リーチ）状態、すなわち、図３の（Ａ）に示したように最後の一つの図柄表示部２０ｃに所定の図柄を停止させれば当たりとなる「リーチ」となっていないときは、制御手段３０の遊技制御部３１は、図柄表示部２０ｃの回転を図柄停止ボタンＳ３を操作しても停止できないようにする。
【手続補正９】
【補正対象書類名】明細書
【補正対象項目名】００４６
【補正方法】変更
【補正の内容】
【００４６】暫く動作させた後に遊技制御部３１は図柄表示部２０ａ、２０ｂを準当たり（リーチ）の組合わせが成立した状態に停止させる。したがって、このときリーチ目の組合わせの判らない初心者であっても最後の一つの図柄表示部２０ｃの図柄によっては前述の特別状態が発生することを知ることができる。また、目押しのできない遊技者でも確実に準当たり（リーチ）となった状態を得ることができる。
【手続補正１０】
【補正対象書類名】明細書
【補正対象項目名】００４７
【補正方法】変更
【補正の内容】
【００４７】図柄表示部２０ａ、２０ｂを準当たり（リーチ）の組合わせで停止させるとともに、遊技制御部３１は最後の一つの図柄表示部２０ｃの回転の停止を不可能とした状態を解除し、図柄停止ボタンＳ３の操作によって停止可能にする。
【手続補正１１】
【補正対象書類名】明細書
【補正対象項目名】００４８
【補正方法】変更
【補正の内容】
【００４８】このように、リーチ目の組合せの判らない遊技者にもリーチ目の組合せが成立していることが確実に判り、また、所望の図柄を狙って停止させる所謂「目押し」のできない遊技者でも確実に準当たり（リーチ）が出現するので遊技者が初心者か否か、或いは、スロットマシンに詳しいか否かにかかわらず十分にゲームを楽しむことができる。
【手続補正１２】
【補正対象書類名】明細書
【補正対象項目名】００４９
【補正方法】変更
【補正の内容】
【００４９】なお、遊技制御部３１は当たりモードに入った状態、所謂「フラッグが成立」した後に、規定数のゲームを行っても準当たり（リーチ）が出ないときに実行するようにしてもよい。
【手続補正１３】
【補正対象書類名】明細書
【補正対象項目名】００５１
【補正方法】変更
【補正の内容】
【００５１】      【発明の効果】  本発明にかかるスロットマシンによれば、リーチ目の判らない遊技者にもリーチ目がでていることが確実に判り、また、目押しのできない遊技者でも確実に準当たり（リーチ）を出すことができるので、十分にゲームを楽しむことができ、延いては、スロットマシンの新たな遊技者を増加させ、また、スロットマシンの遊技者を定着させることにより、スロットマシン遊技者の増大を図ることができる。
【手続補正書】
【提出日】平成16年9月3日(2004.9.3)
【手続補正１】
【補正対象書類名】明細書
【補正対象項目名】発明の名称
【補正方法】変更
【補正の内容】
【発明の名称】遊技機
【手続補正２】
【補正対象書類名】明細書
【補正対象項目名】特許請求の範囲
【補正方法】変更
【補正の内容】
【特許請求の範囲】
【請求項１】
遊技媒体を用いて遊技を行う遊技機であって、
前記遊技媒体が入賞可能な入賞口と、前記遊技媒体が前記入賞口に入賞したことにより所望の数の前記遊技媒体を払出す払出処理を行う処理手段と、を少なくとも備え、
前記処理手段は、
前記入賞口への前記遊技媒体の入賞時には、予め定めた上限値の範囲内で賞球数を決定して、決定した賞球数の前記遊技媒体を払出す払出処理を行う遊技機。
【請求項２】
請求項１において、
図柄を変動表示可能な図柄表示手段と、大当たり処理として所定の開閉パターンで開閉制御され遊技媒体が入賞可能になる大入賞口とを設け、
前記処理手段は、さらに、
前記入賞口への前記遊技媒体の入賞時には、前記大当たり処理を行なうか否かの抽選を行い、前記図柄表示手段の前記図柄を変動表示するとともに停止表示し、この停止表示された前記図柄が所定パターンとなる時には、前記大当たり処理を行うことを特徴とする遊技機。
【請求項３】
請求項１および２のいずれかにおいて、
賞球数に関する情報を表示する表示手段を設け、前記処理手段は、さらに、前記決定した賞球数に対応する図柄を前記表示手段に表示させることを特徴とする遊技機。
【手続補正３】
【補正対象書類名】明細書
【補正対象項目名】０００７
【補正方法】変更
【補正の内容】
【０００７】
【課題を解決するための手段】
上記目的を達成するために、請求項１に係る発明によれば、遊技媒体を用いて遊技を行う遊技機であって、前記遊技媒体が入賞可能な入賞口と、前記遊技媒体が前記入賞口に入賞したことにより所望の数の前記遊技媒体を払出す払出処理を行う処理手段と、を少なくとも備え、前記処理手段は、前記入賞口への前記遊技媒体の入賞時には、予め定めた上限値の範囲内で賞球数を決定して、決定した賞球数の前記遊技媒体を払出す払出処理を行う遊技機が提供される。
【手続補正４】
【補正対象書類名】明細書
【補正対象項目名】００１０
【補正方法】変更
【補正の内容】
【００１０】
その他、賞球数を決定するために振分装置を使用し、振り分けられた場所によって異なる賞球数を決定することも考えられる。
また、請求項２に係る発明によれば、請求項１において、図柄を変動表示可能な図柄表示手段と、大当たり処理として所定の開閉パターンで開閉制御され遊技媒体が入賞可能になる大入賞口とを設け、前記処理手段は、さらに、前記入賞口への前記遊技媒体の入賞時には、前記大当たり処理を行なうか否かの抽選を行い、前記図柄表示手段の前記図柄を変動表示するとともに停止表示し、この停止表示された前記図柄が所定パターンとなる時には、前記大当たり処理を行うことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００６７
【補正方法】変更
【補正の内容】
【００６７】
【発明の効果】
以上説明したように、請求項１に係る発明によれば、処理手段が、入賞口への遊技媒体の入賞時には、予め定めた上限値の範囲内で賞球数を決定して、決定した賞球数の遊技媒体を払出す払出処理を行うので、従来、固定数であった賞球数をランダムにさせ抽選により決定させるため、遊技性が向上する。
【手続補正９】
【補正対象書類名】明細書
【補正対象項目名】００６８
【補正方法】変更
【補正の内容】
【００６８】
また、請求項２に係る発明によれば、請求項１の効果に加えて、処理手段は、入賞口への遊技媒体の入賞時には、図柄表示手段の図柄を変動表示するとともに停止表示し、この停止表示された図柄が所定パターンとなる時には、大当たり処理を行うので、入賞口への遊技媒体の入賞動作が特別図柄の変動表示を起こさせ、遊技性が向上する。
【手続補正１０】
【補正対象書類名】明細書
【補正対象項目名】００７０
【補正方法】削除
【補正の内容】
【手続補正１１】
【補正対象書類名】明細書
【補正対象項目名】００７１
【補正方法】削除
【補正の内容】
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
複数の図柄を変動表示可能な図柄表示部と、複数の表示態様を表示可能な識別表示部を有し、
図柄表示部に大当たり図柄が表示されると特別遊技状態が生起し、
その特別遊技状態が特定大当たりであると、その特別遊技状態が終了後に遊技者にとって有利な状態となり、
前記識別表示部を複数個のランプで構成してあると共に、それらのランプの何れかを特定ランプとし、
特別遊技状態終了後の所定の期間において、前記複数個のランプが順次、点灯と消灯を繰り返し、遊技者にとって有利な状態では前記特定ランプの点灯時間が他のランプの点灯時間と僅かに異なる一方、有利な状態以外では特定ランプの点灯時間と他のランプの点灯時間は同じであることを特徴とする遊技機。
【請求項２】
複数の図柄を変動表示可能な図柄表示部と、複数の表示態様を表示可能な識別表示部を有し、
図柄表示部に大当たり図柄が表示されると特別遊技状態が生起し、
その特別遊技状態が特定大当たりであると、その特別遊技状態が終了後に遊技者にとって有利な状態となり、
前記識別表示部を図柄表示器で構成してあると共に、その図柄表示器には特定図柄を含む複数の図柄が表示可能であり、
特別遊技状態終了後の所定の期間において、前記図柄表示器が順次、特定図柄と他の図柄を変更表示し、遊技者にとって有利な状態では前記特定図柄の表示時間が他の図柄の表示時間と僅かに異なる一方、有利な状態以外では特定図柄の表示時間と他の図柄の表示時間は同じであることを特徴とする遊技機。
【手続補正２】
【補正対象書類名】明細書
【補正対象項目名】０００５
【補正方法】変更
【補正の内容】
【０００５】
【課題を解決するための手段】
請求項１の遊技機は、複数の図柄を変動表示可能な図柄表示部と、複数の表示態様を表示可能な識別表示部を有していて、図柄表示部に大当たり図柄が表示されると特別遊技状態が生起し、その特別遊技状態が特定大当たりであると、その特別遊技状態が終了後に遊技者にとって有利な状態となる。
又、前記識別表示部は複数個のランプで構成してあると共に、それらのランプの何れかを特定ランプとする。
そして、特別遊技状態終了後の所定の期間において、複数個のランプが順次、点灯と消灯を繰り返すが、遊技者にとって有利な状態であるときには、特定ランプの点灯時間が他のランプの点灯時間と僅かに異なる一方、有利な状態以外では特定ランプと他のランプの点灯時間は同じである。
そのため、特定ランプの点灯時間の相違を見つけることによって、遊技者にとって有利な状態であるか否かが判り新たな面白味をもって遊技を可能にする。
【手続補正３】
【補正対象書類名】明細書
【補正対象項目名】０００６
【補正方法】変更
【補正の内容】
【０００６】
請求項２の遊技機は、複数の図柄を変動表示可能な図柄表示部と、複数の表示態様を表示可能な識別表示部を有していて、図柄表示部に大当たり図柄が表示されると特別遊技状態が生起し、その特別遊技状態が特定大当たりであると、その特別遊技状態が終了後に遊技者にとって有利な状態となる。
又、前記識別表示部を図柄表示器で構成してあると共に、その図柄表示器には特定図柄を含む複数の図柄が表示可能である。
そして、特別遊技状態終了後の所定の期間において、前記図柄表示器が順次、特定図柄と他の図柄を変更表示するが、遊技者にとって有利な状態であるときには、図柄表示器に表示の特定図柄の表示時間が他の図柄の表示時間と僅かに異なる一方、有利な状態以外では特定図柄と他の図柄の表示時間は同じである。
そのため、特定図柄の表示時間の相違を見つけることによって、遊技者にとって有利な状態であるか否かが判り新たな面白味をもって遊技を可能にする
【手続補正４】
【補正対象書類名】明細書
【補正対象項目名】００３７
【補正方法】変更
【補正の内容】
【００３７】
【発明の効果】
本発明の請求項１の遊技機は、特別遊技状態が終了後に、遊技者にとって有利な状態であるか否かを、特定ランプと他のランプとの僅かに相違する点灯時間によって知ることができるので、新たな面白味をもって遊技可能である。
又、本発明の請求項２の遊技機は、特別遊技状態が終了後に、遊技者にとって有利な状態であるか否かを、特定図柄と他の図柄との僅かに相違する表示時間によって知ることができるので、新たな面白味をもって遊技可能である。
【手続補正５】
【補正対象書類名】図面
【補正対象項目名】図２
【補正方法】変更
【補正の内容】
【図２】
1999076532.tif 000001
【手続補正６】
【補正対象書類名】図面
【補正対象項目名】図３
【補正方法】変更
【補正の内容】
【図３】
1999076532.tif 000002
【手続補正書】
【提出日】平成16年8月16日(2004.8.16)
【手続補正１】
【補正対象書類名】明細書
【補正対象項目名】０００２
【補正方法】変更
【補正の内容】
【０００２】
【従来の技術】
一様な流れの洗浄液中にワークを浸漬させて洗浄する流水式洗浄装置は、例えば実開昭６１−１３０３８９号公報や特開昭６４−６３０８６号公報等に開示されているように、従来より各種のものが提案されている。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
支持アーム（３５）の端部に、施療子（２０）が取り付けられ、揉み動作駆動源（１８）により、支持アーム（３５）を介して施療子（２０）に動力を伝達して、施療子（２０）に揉み動作をさせるようにしたマッサージ機において、
前記施療子（２０）に叩き動作をさせるように、支持アーム（３５）を動作させるソレノイド（１９）が設けられていることを特徴とするマッサージ機。
【請求項２】
ソレノイド（１９）が励磁したときに施療子（２０）が動作する方向とは、反対方向に施療子（２０）を付勢する弾性体（４０）が設けられていることを特徴とする請求項１記載のマッサージ機。
【請求項３】
前記支持アーム（３５）が左右一対設けられ、前記施療子（２０）が、各支持アーム（３５）の端部に、左右に対向するように取り付けられ、前記ソレノイド（１９）が、各支持アーム（３５）に対応して設けられていることを特徴とする請求項１記載のマッサージ機。
【手続補正２】
【補正対象書類名】明細書
【補正対象項目名】０００７
【補正方法】変更
【補正の内容】
【０００７】
【課題を解決するための手段】
本発明は、上記目的を達成するために、次の技術的手段を講じた。すなわち、本発明の特徴は、支持アームの端部に、施療子が取り付けられ、揉み動作駆動源により、支持アームを介して施療子に動力を伝達して、施療子に揉み動作をさせるようにしたマッサージ機において、
前記施療子に叩き動作をさせるように、支持アームを動作させるソレノイドが設けられている点にある。


【手続補正３】
【補正対象書類名】明細書
【補正対象項目名】００１０
【補正方法】変更
【補正の内容】
【００１０】
さらに、本発明では、支持アームを左右一対設け、施療子を、各支持アームの端部に、左右に対向するように取り付け、前記ソレノイドを、各支持アームに対応して設けることができ、この場合、各施療子は、それぞれのソレノイドによって独立に動作可能であり、一の施療子のみ叩き動作をさせる等、変化に富んだ叩き動作を行うことができる。
そして、本発明では、マッサージ駆動部に揉み動作及び叩き動作可能な施療子を備えたマッサージ機において、マッサージ駆動部に、施療子が揉み動作を行うための揉み動作駆動源と、叩き動作を行うための叩き動作駆動源とをそれぞれ設け、前記叩き動作駆動源を、ソレノイドによって構成することができる。